(57)【要約】【課題】二つの支持部により用紙を支持した状態で綴じ処理を行う場合、用紙の綴じ位置ずれを抑制する。【解決手段】折り目部が形成された山形の状態の用紙を鞍掛けして下方から支持する鞍掛け部３２１と、鞍掛け部３２１に支持された用紙に対して綴じ針を打ち込む打針部３２５と、鞍掛け部３２１に支持された用紙の搬送方向後端部を折り目部の方向に押して、鞍掛け部３２１から用紙を押し出す押し出し部３２２と、押し出し部３２２により鞍掛け部３２１から押し出された用紙を下方から支持する移動鞍３３２と、を備え、移動鞍３３２は、打針部３２５により綴じ針を打ち込む際、鞍掛け部３２１から押し出された用紙の搬送方向前端部のみを支持する。【選択図】図６
2017071460.tif 000002
【特許請求の範囲】
【請求項１】
折り目部が形成された山形の状態の用紙を鞍掛けして下方から支持する第１支持部と、
前記第１支持部に支持された用紙に対して綴じ針を打ち込む打針部と、
前記第１支持部に支持された用紙の搬送方向後端部を前記折り目部の方向に押して、前記第１支持部から用紙を押し出す押し出し部と、
前記押し出し部により前記第１支持部から押し出された用紙を下方から支持する第２支持部と、を備え、
前記第２支持部は、前記打針部により綴じ針を打ち込む際、前記第１支持部から押し出された用紙の搬送方向前端部のみを支持することを特徴とする用紙処理装置。
【請求項２】
前記第２支持部は、前記打針部により綴じ針を打ち込む際、予め設定された用紙条件に応じて、前記第１支持部から押し出された用紙の搬送方向前端部のみの支持、又は当該押し出された用紙の全体の支持の何れかを行うことを特徴とする請求項１に記載の用紙処理装置。
【請求項３】
前記第２支持部を前記折り目部の方向に沿って移動させる駆動部と、
前記打針部により綴じ針を打ち込む際、前記駆動部を制御して、前記第２支持部を前記第１支持部から離間する方向に移動させ、前記第１支持部から押し出された用紙の搬送方向前端部のみを支持させる制御部と、を備えることを特徴とする請求項１又は２に記載の用紙処理装置。
【請求項４】
前記制御部は、前記第２支持部に前記第１支持部から押し出された用紙の搬送方向前端部のみを支持させる場合、予め設定された用紙条件に応じて、前記第２支持部が前記第１支持部から離間する距離を変更することを特徴とする請求項３に記載の用紙処理装置。
【請求項５】
前記用紙条件は、前記第１支持部と前記第２支持部が支持している用紙の割合、用紙のサイズ、用紙の重さ、及び用紙に対する綴じ位置の数の少なくとも一つを含むことを特徴とする請求項２又は４に記載の用紙処理装置。
【請求項６】
用紙に対して画像を形成する画像形成装置と、
前記画像形成装置に接続され、前記画像形成装置により画像が形成された用紙に、所定の用紙処理を行う請求項１〜５の何れか一項に記載の用紙処理装置と、
を備えたことを特徴とする画像形成システム。
【発明の詳細な説明】
【技術分野】
【０００１】
本発明は、用紙処理装置及び画像形成システムに関する。
【背景技術】
【０００２】
従来、折り曲げられた用紙の折り目部を下方から支持する鞍形状の載置部と、当該載置部に対向する１つの綴じ部を備え、載置部上で用紙を載置部の稜線方向に移動させて用紙の複数個所に綴じ針を打ち込む構成の装置が知られている（例えば、特許文献１参照）。
【０００３】
かかる装置においては、図１１に示すように、載置部９１上で移動させた際に載置部９１からはみ出た用紙は、載置部９１に隣接された第２の載置部９２により下方から支持される。そして、載置部９１上で、綴じ部９３により、その用紙に設定された全ての綴じ位置に綴じ針が打ち込まれると、当該用紙は載置部９１から第２の載置部９２により全体が支持される位置まで搬送され、その後、用紙の全面を支持した状態となった第２の載置部９２は、稜線方向と交差する方向（紙面の手前方向）にスライド移動し、後続の処理部まで用紙を搬送するようになっている。
【先行技術文献】
【特許文献】
【０００４】
【特許文献１】特開２０１５−５１８２１号公報
【発明の概要】
【発明が解決しようとする課題】
【０００５】
しかしながら、上記のような構成の装置においては、第２の載置部がスライド移動する構成であるため、載置部９１と第２の載置部９２との稜線の位置がずれてしまうことがある。載置部９１と第２の載置部９２との稜線の位置がずれていると、載置部９１からはみ出た用紙が第２の載置部９２に載置された際に、図１２に示すように、用紙が第２の載置部９２に沿って移動することで用紙が傾いた状態となるため、綴じ針を打ち込む際に綴じ位置がずれてしまう恐れがあった。かかる現象は、特に、重さの軽い用紙や、用紙の大部分が第２の載置部９２に載置されている場合などに顕著である。
【０００６】
本発明はこのような課題に鑑みてなされたものであって、二つの支持部により用紙を支持した状態で綴じ処理を行う場合、用紙の綴じ位置ずれを抑制することのできる用紙処理装置及び画像形成システムを提供することを目的とする。
【課題を解決するための手段】
【０００７】
上記課題を解決するため、
本発明の一の態様によれば、用紙処理装置は、
折り目部が形成された山形の状態の用紙を鞍掛けして下方から支持する第１支持部と、
前記第１支持部に支持された用紙に対して綴じ針を打ち込む打針部と、
前記第１支持部に支持された用紙の搬送方向後端部を前記折り目部の方向に押して、前記第１支持部から用紙を押し出す押し出し部と、
前記押し出し部により前記第１支持部から押し出された用紙を下方から支持する第２支持部と、を備え、
前記第２支持部は、前記打針部により綴じ針を打ち込む際、前記第１支持部から押し出された用紙の搬送方向前端部のみを支持することを特徴とする。
【０００８】
また、本発明の他の態様によれば、画像形成システムは、
用紙に対して画像を形成する画像形成装置と、
前記画像形成装置に接続され、前記画像形成装置により画像が形成された用紙に、所定の用紙処理を行う前記用紙処理装置と、
を備えたことを特徴とする。
【発明の効果】
【０００９】
本発明によれば、二つの支持部により用紙を支持した状態で綴じ処理を行う場合、用紙の綴じ位置ずれを抑制することができる。
【図面の簡単な説明】
【００１０】
【図１】画像形成システムの全体構成を示す概略模式図である。
【図２】中綴じユニットにおける載置部、打針部、及び受針部の構成の一例を示す斜視図である。
【図３】中綴じユニットを前側からみた側面図である。
【図４】画像形成システムの動作制御に係る主要構成を示すブロック図である。
【図５】移動鞍の動作の設定処理を示すフローチャートである。
【図６】移動鞍が第１位置となって、鞍掛け部から押し出される用紙の搬送方向下流側を支持した状態を示す一例である。
【図７】図６の用紙の状態を上側からみた模式図である。
【図８】移動鞍の鞍掛け部からの離間距離を変更した場合の用紙を示す模式図である。
【図９】移動鞍が第２位置となって、鞍掛け部から押し出される用紙の搬送方向下流側を支持した状態を示す一例である。
【図１０】図９の用紙の状態を上側からみた模式図である。
【図１１】従来の問題を説明するための図である。
【図１２】従来の問題を説明するための図である。
【発明を実施するための形態】
【００１１】
以下、図面を参照しつつ、本発明の実施の形態における画像形成システム１について説明する。
【００１２】
図１は、画像形成システム１の全体構成を示す概略模式図である。
画像形成システム１は、画像形成装置１００と、中間搬送装置２００と、用紙処理装置３００と、平綴じ処理装置４００と、を有している。
なお、以下の説明において、鉛直方向をＺ方向とし、図１に示す画像形成装置１００、中間搬送装置２００、用紙処理装置３００、及び平綴じ処理装置４００が互いに接続される方向に沿う方向をＸ方向とし、Ｘ方向及びＺ方向に直交する方向をＹ方向とする。
また、Ｘ方向について前側及び後側を付して説明し、Ｙ方向について右側及び左側を付して説明し、Ｚ方向について上側及び下側を付して説明する。ここで、前側は、画像形成システム１における搬送方向の上流側であり、後側は、その下流側である。また、右側は、用紙処理装置３００の中折り・中綴じ処理における用紙搬送方向の上流側であり、左側は、その下流側である。
【００１３】
画像形成装置１００は、用紙に画像を形成する。
具体的には、画像形成装置１００は、例えば、記録媒体として備蓄された用紙を用紙トレイから引き出して搬送する用紙搬送部、ビットマップデータに応じたトナー像を転写ローラー等の一次転写部材に現像する現像部、一次転写部材に現像されたトナー像を転写ドラム１５０等の二次転写部材に転写する一次転写部、二次転写部材に転写されたトナー像を用紙搬送部により搬送される用紙に転写する二次転写部、転写されたトナー像を用紙に定着させる定着部、及び定着部による定着処理後の用紙を排出する排出部等を備え、用紙に画像を形成する。
また、画像形成装置１００は、画像が形成されて排出される用紙を中間搬送装置２００に受け渡す。即ち、画像形成システム１は、画像形成装置１００から排出される用紙が中間搬送装置２００に受け渡されるよう接続されている。
【００１４】
中間搬送装置２００は、用紙を一時的に待機させると共に、用紙に対して筋付け及び断裁を施すことの可能な装置である。
具体的には、中間搬送装置２００は、例えば、画像形成装置１００から搬送された用紙を下降させるように搬送して用紙の紙面をＺ方向にほぼ沿わせた状態で一旦停止させて待機させる待機部（スタッカー）、待機中の用紙の位置を整合する中間整合部、整合された用紙に筋付けを行う筋付け部（クリーサー）、及び筋付けが施された用紙を搬送しながら当該用紙の余白部分を断裁する余白断裁部（スリッター）等を備える。
即ち、中間搬送装置２００は、画像形成装置１００から受け渡された用紙を待機部において一旦停止させた状態で中間整合部により整合を行い、次いで筋付け部により筋付け処理を行った後、筋付けが施された用紙を搬送しながら当該用紙の余白部分を余白断裁部により断裁する。その後、中間搬送装置２００は、余白断裁部により余白部分の断裁された用紙を用紙処理装置３００に受け渡す。
なお、中間搬送装置２００は、画像形成装置１００から受け渡された用紙に対して、中間搬送装置２００による各種の処理の一部又は全部を施さずに用紙処理装置３００に受け渡すこともできる。
【００１５】
用紙処理装置３００は、用紙を中折り（二つ折り）にする中折り処理、中折りされた用紙を所定枚数重ね合わせて綴じることにより中綴じ冊子を作成する中綴じ処理、中綴じ冊子の小口断裁を行う断裁処理、中綴じ冊子の背表紙を角背成形する角背成形処理等を行う装置である。
具体的には、用紙処理装置３００は、例えば、中間搬送装置２００から受け渡された用紙をＹ方向に沿って中折りする中折り部３１０、中折り部３１０により中折りされた用紙を重ね合わせ、打針して中綴じ冊子とする中綴じ部３２０、中綴じ部３２０により中綴じされた中綴じ冊子を受け取って、水平面内を折り目部と直交する方向（Ｘ方向）に搬送する搬送部３３０、搬送部３３０により搬送された中綴じ冊子の折り目部近傍を挟持して保持するクランプ部３４０、クランプ部３４０により保持された中綴じ冊子の小口の断裁処理を行う断裁部３５０、中綴じ冊子の背表紙の角背成形処理を行う角背成形部３６０、及び中綴じ冊子を外部に排出する排出部３７０等が備えられている。
なお、かかる用紙処理装置３００は、中間搬送装置２００から受け渡された用紙に対して、用紙処理装置３００による各種の処理の一部又は全部を施さずに平綴じ処理装置４００に受け渡すこともできる。
【００１６】
中折り部３１０は、例えば、一対の中折りローラーと、一対の中折りローラーの下方に位置し、一対の中折りローラーの間に進入するように動作可能なＹ−Ｚ平面に沿うよう配設された板状の折りナイフと、を備えている。
画像形成装置１００から受け渡された用紙は、当該用紙のＸ方向の中央部が折りナイフに対向することとなる位置まで搬送される。すると、折りナイフは、一対の中折りローラーの間に進入し、用紙をニップ部に押し込む動作を行う。これにより、用紙は、折りナイフとの当接位置においてＹ方向に沿った折り目部が形成された状態に中折りされる。即ち、用紙は、折り目部が上側でその両端の小口が下側となる所謂山折り形状（山形の用紙）となる。
中折りされた用紙は、図示しない用紙搬送部により折り目部に沿った方向（Ｙ方向）に搬送され、中綴じ部３２０に到達する。
【００１７】
図２は、中綴じ部３２０及び搬送部３３０の構成の一例を示す斜視図である。また、図３は、中綴じ部３２０及び搬送部３３０を前側からみた図である。
【００１８】
中綴じ部３２０は、中折り部３１０により中折りされた後、その折り目部に沿った方向（Ｙ方向）に搬送されてきた用紙を重ね合わせて集積する鞍掛け部（第１支持部）３２１、鞍掛け部３２１の右端部に設けられた押し出し部３２２、ガイドレールＬに支持され、鞍掛け部３２１の上方を鞍掛け部３２１の左端部近傍から中央部に亘って移動可能な移送部３２３、移送部３２３よりも更に用紙の搬送方向の下流側に設けられた突き当て部３２４、鞍掛け部３２１の上方に設けられた打針部３２５、及び鞍掛け部３２１の内部に設けられた受針部３２６等を備えている。
【００１９】
鞍掛け部３２１は、上部が略９０°の角度の凸形状をなし、その上部に、中折り部３１０から搬送されてきた山折り状態の用紙を跨らせた状態に載置させる。
鞍掛け部３２１には、形成しようとする冊子の最内側の頁にあたる用紙を最下面として、１冊の冊子を形成する用紙が中折り処理が完了する都度排出され、順次載置されていく。
【００２０】
押し出し部３２２は、鞍掛け部３２１の右端上部において、鞍掛け部３２１の頂部稜線に沿ってＹ方向に移動可能に設けられている。
押し出し部３２２は、鞍掛け部３２１に用紙が載置されると、鞍掛け部３２１の頂部稜線上をＹ方向（左方向）に移動して当該用紙の搬送方向上流側の端部（搬送方向後端部）を押し出し、用紙を所定位置まで搬送して、用紙の搬送方向上流側の端部の位置決め及び整合を行う。所定位置とは、用紙の綴じ位置が打針部３２５及び受針部３２６に対向する位置である。綴じ位置は、一乃至複数個所設定可能であり、複数の綴じ位置が設定されている場合には、押し出し部３２２は、搬送方向下流側の綴じ位置から順に綴じ針が打ち込まれるように、搬送方向下流側の綴じ位置から順に打針部３２５及び受針部３２６に対向するよう、用紙を徐々に搬送する。
【００２１】
移送部３２３は、待機位置に待機して鞍掛け部３２１に搬送されてくる用紙を待ち受け、用紙が押し出し部３２２により所定位置まで搬送されると、用紙の搬送方向下流側の端部を軽打して用紙を整合する。
また、移送部３２３は、用紙の全ての綴じ位置に対する綴じ針の打ち込み動作が終了すると、鞍掛け部３２１の上方にＹ方向に沿って延設されたガイドレールＬに沿って右方向に移動し、綴じ針の打ち込まれた用紙（中綴じ冊子）の搬送方向上流側に回り込んだ後、当該用紙の搬送方向上流側の端部に当接して搬送方向の下流側（左方向）に押し、用紙全体が搬送部３３０の移動鞍３３２（後述）に載置される位置まで用紙を搬送する。
【００２２】
突き当て部３２４は、移送部３２３により中綴じ冊子が鞍掛け部３２１から移動鞍３３２に搬送される際に、中綴じ冊子の搬送方向の下流側端部を突き当てさせて停止させる。
【００２３】
打針部３２５は、鞍掛け部３２１の所定位置に搬送されてきた用紙に対して綴じ針を打ち込む。
【００２４】
受針部３２６は、鞍掛け部３２１の内部に設置され、打針部３２５により打ち込まれた綴じ針の針先を受け止める。
【００２５】
搬送部３３０は、例えば、中綴じ部３２０による中綴じ処理の際、鞍掛け部３２１から押し出された用紙を折り目部の内側から支持すると共に、中綴じ処理後、用紙の全体を支持した状態にてＸ方向（前方向）に移動してクランプ部３４０に用紙を受け渡す移動ユニットＵを備えている。
【００２６】
移動ユニットＵは、例えば、支持板Ｓ上をＸ方向及びＹ方向に往復移動可能な扁平直方体状の台座部３３１と、台座部３３１に支持された移動鞍３３２（第２支持部）と、を備えている。
【００２７】
台座部３３１は、中綴じ部３２０の中綴じ処理時、駆動部３３１ａ（図４参照）の駆動により、綴じ針の打ち込まれる用紙の用紙条件によって、所定タイミングでＹ方向（左方向）にスライド移動する。
また、台座部３３１は、移動鞍３３２が、綴じ針の打ち込まれた用紙を完全に支持した状態となると、中綴じ冊子を次工程に搬送すべくＸ方向（前方向）にスライド移動する。
【００２８】
移動鞍３３２は、Ｙ−Ｚ平面に沿うよう立設された板状の部材であって、台座部３３１の前端部に備えられ、台座部３３１の移動に伴って移動する。
移動鞍３３２は、中綴じ部３２０の中綴じ処理時、用紙の綴じ位置が打針部３２５及び受針部３２６に対向する位置となることで鞍掛け部３２１から押し出された用紙を、折り目部の内側から支えるようにして支持する。
本実施形態においては、この際、綴じ針の打ち込まれる用紙の用紙条件によって、移動鞍３３２は、「第１位置」又は「第２位置」の何れかの位置となるように制御される。
「第１位置」とは、所定タイミングで台座部３３１と共にＹ方向（左方向）にスライド移動し、鞍掛け部３２１から押し出された用紙を、移動鞍３３２の一点でのみで支持する（押し出された用紙の搬送方向前端部のみを支持する）こととなる位置である。即ち、「第１位置」では、移動鞍３３２と用紙との接触面積が少なくなる。
また、「第２位置」とは、鞍掛け部３２１から押し出された用紙を、移動鞍３３２の全体で支持する（押し出された用紙の全体を支持する）こととなる位置である。
かかる制御の詳細については後述する。
そして、用紙の全ての綴じ位置に対する綴じ針の打ち込み動作が終了し、用紙全体が移動鞍３３２に載置された状態となると、移動鞍３３２は台座部３３１と共に前方向に移動し、用紙を次工程（クランプ部３４０）に受け渡す。
【００２９】
図１に戻り、クランプ部３４０は、２つの挟持部材を備え、搬送部３３０により後方から前方に搬送された中綴じ冊子の折り目部近傍を挟持して、中綴じ冊子を断裁部３５０や角背成形部３６０に搬送する。
【００３０】
断裁部３５０は、中綴じされた冊子の小口端部の断裁処理を行う。これにより、小口端部が不揃いな中綴じ冊子の小口部が切り揃えられる。
【００３１】
角背成形部３６０は、保持板及びローラー（何れも図示せず）等を備えて構成され、上記のようにして中綴じされた冊子は、保持板によりを挟持された後、ローラーにより折り目部が平らになるよう潰される。これにより、中綴じされた冊子の折り目部は、角型形状に成形される。
【００３２】
排出部３７０は、断裁処理及び／又は角背成形処理された中綴じ冊子を排出する。なお、断裁処理と角背成形処理の何れも施されていない状態の中綴じ冊子を排出する場合もある。
【００３３】
平綴じ処理装置４００は、複数の用紙の平綴じ処理等を行う。
具体的には、平綴じ処理装置４００は、例えば、用紙処理装置３００から受け渡された複数の用紙にステープル処理を施すステープル処理部、ステープル処理が施された複数の用紙のうち背表紙と平行な端部を揃えるために当該端部の一部を切り落とす小口断裁を行うページ端断裁部、及び連結された各装置による処理後の用紙を排出する排出部等を備える。
なお、平綴じ処理装置４００は、用紙処理装置３００から受け渡された用紙に対して、平綴じ処理装置４００による各種の処理の一部又は全部を施さずに排出することもできる。
【００３４】
次に、画像形成システム１の動作制御について説明する。
図４は、画像形成システム１の動作制御に係る主要構成を示すブロック図である。
【００３５】
画像形成システム１は、画像形成システム１の動作に係るユーザーの入力操作を受け付け、画像形成システム１の動作に係る表示出力を行う操作表示部５０１と、画像形成システム１全体の動作制御を行う中央制御部５０２と、画像形成装置１００の動作制御を行う画像形成制御部５０３と、中間搬送装置２００の動作制御を行う中間搬送制御部５０４と、用紙処理装置３００の動作制御を行う用紙処理制御部（制御部）５０５と、平綴じ処理装置４００の動作制御を行う平綴じ処理制御部５０６と、を有する。
【００３６】
操作表示部５０１は、例えば、タッチパネル方式の操作表示装置や各種の入力のためのスイッチ、キー等を有し、ユーザーの入力内容に応じた信号を中央制御部５０２に送信する。
中央制御部５０２、画像形成制御部５０３、中間搬送制御部５０４、用紙処理制御部５０５、及び平綴じ処理制御部５０６はそれぞれ、ＣＰＵ(Central Processing Unit)、ＲＡＭ(Random Access Memory)、ＲＯＭ(Read Only Memory)等を有し、処理内容に応じたソフトウェア・プログラムや各種のデータを読み出して実行処理する。
【００３７】
中央制御部５０２は、操作表示部５０１を介して入力されたユーザーの入力内容に応じて、画像形成システム１に係る各種の条件の設定を行う。
この設定条件には、例えば、用紙のサイズや画像形成時の色数（例えば、カラー・グレースケール・モノクロ等）及び印字率、中折り・中綴じ処理を行う一部の用紙の枚数、種類、サイズ、坪量、中折り処理における折り強さ、中綴じ処理において用紙の折り目部に対して打ち込む綴じ針の数、中綴じ処理において綴じ針を打ち込む位置（綴じ位置）等の用紙条件が含まれる。
そして、中央制御部５０２は、画像形成制御部５０３、中間搬送制御部５０４、用紙処理制御部５０５、及び平綴じ処理制御部５０６の各制御部に対して設定内容に応じた処理を施すための命令を出力する。各制御部は、命令に応じてそれぞれの制御対象である装置の動作を制御する。
【００３８】
例えば、中央制御部５０２は、用紙処理制御部５０５に対して中綴じ処理等を行うための命令を出力する。
これに応じて用紙処理制御部５０５は、中綴じ部３２０を制御して中綴じ処理等を行う。
このとき、用紙処理制御部５０５は、中綴じ処理する用紙の用紙条件に応じて、搬送部３３０を制御して、移動鞍３３２を「第１位置」又は「第２位置」とし、鞍掛け部３２１から押し出された用紙を移動鞍３３２に支持させる。
【００３９】
以下、このような移動鞍３３２の動作について詳細に説明する。
図５は、このような移動鞍３３２の動作の設定処理を示すフローチャートである。
かかる設定処理は、中綴じ部３２０による実際の中綴じ処理の開始前に行われるものである。
【００４０】
先ず、ユーザーの操作表示部５０１に対する操作に応じて、用紙処理制御部５０５は、用紙条件（中綴じ冊子を構成する用紙のサイズ、坪量、枚数、折り目部に対して打ち込む綴じ針の数、綴じ針を打ち込む位置（綴じ位置）等）を設定する（ステップＳ１）。
【００４１】
次いで、用紙処理制御部５０５は、カウンターを設定する（初期値：ｎ＝０）（ステップＳ２）。
【００４２】
次いで、用紙処理制御部５０５は、設定された（即ち、中綴じ処理する）用紙のサイズが所定値（例えば、Ａ３）以下か否かを判断する（ステップＳ２）。
そして、設定された用紙のサイズが所定値以下である場合（ステップＳ２：ＹＥＳ）、用紙処理制御部５０５は、後述のステップＳ５に移行する。
一方、用紙のサイズが所定値より大きい場合（ステップＳ２：ＮＯ）、用紙処理制御部５０５は、カウンターの値を＋１として（ステップＳ４）、後述のステップＳ５に移行する。
【００４３】
次いで、用紙処理制御部５０５は、設定された用紙の枚数が所定枚数（例えば、１０枚）以上か否かを判断する（ステップＳ５）。
そして、設定された用紙の枚数が所定枚数以上である場合（ステップＳ５：ＹＥＳ）、用紙処理制御部５０５は、後述のステップＳ７に移行する。
一方、設定された用紙の枚数が所定枚数に満たない場合（ステップＳ５：ＮＯ）、用紙処理制御部５０５は、カウンターの値を＋１として（ステップＳ６）、後述のステップＳ７に移行する。
【００４４】
次いで、用紙処理制御部５０５は、設定された用紙の坪量が所定値（例えば、９０ｇ）以上か否かを判断する（ステップＳ７）。
そして、設定された用紙の坪量が所定値以上である場合（ステップＳ７：ＹＥＳ）、用紙処理制御部５０５は、後述のステップＳ９に移行する。
一方、設定された用紙の坪量が所定値に満たない場合（ステップＳ７：ＮＯ）、用紙処理制御部５０５は、カウンターの値を＋１として（ステップＳ８）、後述のステップＳ９に移行する。
【００４５】
次いで、用紙処理制御部５０５は、設定された綴じ位置が２箇所以上か否かを判断する（ステップＳ９）。
そして、設定された綴じ位置が２箇所以上である場合（ステップＳ９：ＹＥＳ）、用紙処理制御部５０５は、後述のステップＳ１１に移行する。
一方、設定された綴じ位置が１箇所の場合（ステップＳ９：ＮＯ）、用紙処理制御部５０５は、カウンターの値を＋１として（ステップＳ１０）、後述のステップＳ１１に移行する。
【００４６】
次いで、用紙処理制御部５０５は、カウンターの値が「ｎ＝０」か否かを判断する（ステップＳ１１）。
【００４７】
そして、カウンターの値が「ｎ＝０」でない場合（ステップＳ１１：ＮＯ）、用紙処理制御部５０５は、移動鞍３３２を「第１位置」とすること、即ち、移動鞍３３２の一点で、鞍掛け部３２１から押し出される用紙の搬送方向前端部のみを支持することを決定する（ステップＳ１２）。
【００４８】
次いで、用紙処理制御部５０５は、移動鞍３３２の積載割合が所定値（例えば、１％）以上となる綴じ位置を選定し、その綴じ位置に綴じ処理する際に上記ステップＳ１２の一点支持となるように、移動鞍３３２の移動タイミングを決定する（ステップＳ１３）。
【００４９】
次いで、用紙処理制御部５０５は、カウンターの値が「ｎ＝３」以上か否かを判断する（ステップＳ１４）。
【００５０】
そして、カウンターの値が「ｎ＝３」に満たない場合（ステップＳ１４：ＮＯ）、用紙処理制御部５０５は、移動鞍３３２の鞍掛け部３２１からの離間距離をデフォルト値（例えば、用紙の搬送方向前端部から３０ｍｍの位置で移動鞍３３２が用紙を支持する位置）として（ステップＳ１５）、本処理を終了する。
【００５１】
一方、カウンターの値が「ｎ＝３」以上である場合（ステップＳ１４：ＹＥＳ）、用紙処理制御部５０５は、移動鞍３３２の鞍掛け部３２１からの離間距離をデフォルト値より大きく（例えば、用紙の搬送方向前端部から１０ｍｍの位置で移動鞍３３２が用紙を支持する位置）とし（ステップＳ１６）、本処理を終了する。
【００５２】
また、上記ステップＳ１１において、カウンターの値が「ｎ＝０」である場合（ステップＳ１１：ＹＥＳ）、用紙処理制御部５０５は、移動鞍３３２を「第２位置」とすること、即ち、移動鞍３３２の全体で、鞍掛け部３２１から押し出される用紙の全体を支持することを決定し（ステップＳ１７）、本処理を終了する。
【００５３】
なお、この設定処理後、用紙処理制御部５０５は、中綴じ冊子の作成を開始する。
【００５４】
ここで、図６は、上記ステップＳ１２における、移動鞍３３２が「第１位置」となって、鞍掛け部３２１から押し出される用紙の搬送方向前端部のみを支持した状態を示す一例であり、図７は、図６の用紙の状態を上側からみた模式図である。なお、この図６、図７は、上記ステップＳ１５における、移動鞍３３２の鞍掛け部３２１からの離間距離をデフォルト値とした場合を示す。
【００５５】
例えば、用紙サイズが所定値より大きい場合、用紙（用紙束）の重量が所定値より軽い場合、また、用紙サイズや綴じ位置などに起因して鞍掛け部３２１から押し出される距離が大きい場合などでは、用紙姿勢が不安定で、鞍掛け部３２１と移動鞍３３２の稜線の位置がずれていた場合、鞍掛け部３２１から移動鞍３３２にかけて載置された用紙に傾きが発生し易い。
本設定処理はかかる問題を考慮した制御であり、上記ステップＳ３、上記ステップＳ５、上記ステップＳ７、上記ステップＳ９の判断により、用紙の傾きが発生し易い用紙条件であると判断された場合には、図６に示すように、移動鞍３３２の一点で、鞍掛け部３２１から押し出される用紙の搬送方向前端部のみを支持させることとする。
【００５６】
これにより、図７に示すように、鞍掛け部３２１の稜線と、移動鞍３３２の稜線は、線と点の関係になり、鞍掛け部３２１から押し出される用紙の、移動鞍３３２との接触面積が少ないことで、用紙が傾くのを抑制することができる。よって、綴じ針を、ずれることなく綴じ位置に打ち込むことができる。
【００５７】
また、図８は、上記ステップＳ１６における、移動鞍３３２の鞍掛け部３２１からの離間距離をデフォルト値より大きくした状態を上側からみた模式図である。
上記ステップＳ３、上記ステップＳ５、上記ステップＳ７、上記ステップＳ９の判断の際にカウントされるカウンターの値が高い程、鞍掛け部３２１と移動鞍３３２の稜線の位置がずれていた場合に、鞍掛け部３２１から移動鞍３３２にかけて載置された用紙に傾きが発生し易い用紙条件が多いと考えられる。
上記ステップＳ１４はこの点を考慮した制御であり、上記ステップＳ１４の判断により、用紙の傾きが発生し易い用紙条件が多いと判断した場合には、移動鞍３３２が鞍掛け部３２１から離間する距離を変更（デフォルト値より大きく）する。
【００５８】
これにより、図８に示すように、用紙の傾きが発生し易い用紙条件が多い場合に、鞍掛け部３２１から押し出される用紙と、移動鞍３３２との接触面積がより少なくなることで、用紙が傾くのをより確実に抑制することができる。
【００５９】
また、図９は、上記ステップＳ１７における、移動鞍３３２が「第２位置」となって、鞍掛け部３２１から押し出される用紙の全体を支持した状態を示す一例であり、図１０は、図９の用紙の状態を上側からみた模式図である。
【００６０】
例えば、用紙サイズが所定値以下の場合、用紙（用紙束）の重量が所定値以上の場合、また、鞍掛け部３２１から押し出される距離が小さい場合などでは、用紙姿勢が安定しており、鞍掛け部３２１と移動鞍３３２の稜線の位置がずれていたとしても、鞍掛け部３２１から移動鞍３３２にかけて載置された用紙に傾きが発生し難い。
このため、上記ステップＳ３、上記ステップＳ５、上記ステップＳ７、上記ステップＳ９の判断により、用紙の傾きが発生し難い用紙条件と判断された場合には、図９に示すように、移動鞍３３２の全体で、鞍掛け部３２１から押し出される用紙の全体を支持させることとする。
【００６１】
この場合であっても、図１０に示すように、鞍掛け部３２１から押し出される用紙と、移動鞍３３２との接触面積と関わりなく、用紙の傾きは発生しない。
【００６２】
以上のように、本実施形態によれば、折り目部が形成された山形の状態の用紙を鞍掛けして下方から支持する鞍掛け部３２１と、鞍掛け部３２１に支持された用紙に対して綴じ針を打ち込む打針部３２５と、鞍掛け部３２１に支持された用紙の搬送方向後端部を折り目部の方向に押して、鞍掛け部３２１から用紙を押し出す押し出し部３２２と、押し出し部３２２により鞍掛け部３２１から押し出された用紙を下方から支持する移動鞍３３２と、を備え、移動鞍３３２は、打針部３２５により綴じ針を打ち込む際、鞍掛け部３２１から押し出された用紙の搬送方向前端部のみを支持する。
このため、鞍掛け部３２１から押し出される用紙と、移動鞍３３２との接触面積を少なくすることで、用紙が傾くのを抑制することができる。よって、用紙の綴じ位置ずれを抑制することができる。
【００６３】
また、本実施形態によれば、移動鞍３３２は、打針部３２５により綴じ針を打ち込む際、予め設定された用紙条件に応じて、鞍掛け部３２１から押し出された用紙の搬送方向前端部のみの支持、又は当該押し出された用紙の全体の支持の何れかを行う。
このため、用紙条件に応じて必要な場合のみ、鞍掛け部３２１から押し出される用紙と、移動鞍３３２との接触面積を少なくすることができる。
【００６４】
また、本実施形態によれば、移動鞍３３２を折り目部の方向に沿って移動させる駆動部３３１ａと、打針部３２５により綴じ針を打ち込む際、駆動部３３１ａを制御して、移動鞍３３２を鞍掛け部３２１から離間する方向に移動させ、鞍掛け部３２１から押し出された用紙の搬送方向前端部のみを支持させる用紙処理制御部５０５と、を備える。
このため、移動鞍３３２の移動を制御するだけでよく、簡単な構成でありながら、鞍掛け部３２１から押し出される用紙と、移動鞍３３２との接触面積を変更することが可能となる。
【００６５】
また、本実施形態によれば、用紙処理制御部５０５は、移動鞍３３２に鞍掛け部３２１から押し出された用紙の搬送方向前端部のみを支持させる場合、予め設定された用紙条件に応じて、移動鞍３３２が鞍掛け部３２１から離間する距離を変更する。
このため、用紙に応じて、より適切な制御を実行できることとなり、より確実に用紙の傾き、ひいては用紙の綴じ位置ずれを抑制することができる。
【００６６】
また、本実施形態によれば、用紙条件は、用紙の割合、用紙のサイズ、用紙の重さ（用紙の枚数及び坪量）を含む。
このため、用紙の割合、用紙のサイズ、用紙の重さに応じて、より適切な制御を実行できることとなる。
【００６７】
なお、上記実施形態においては、移動鞍３３２の位置が、用紙条件に応じて「第１位置」又は「第２位置」に設定される構成を例示して説明したが、用紙条件に関わらず、「第１位置」となるように制御する構成であっても良い。
【００６８】
また、上記実施形態においては、用紙条件として、用紙のサイズ、用紙の枚数、用紙の坪量、綴じ位置の数を判断する構成を例示して説明したが、上記実施形態で例示したもの以外にも、鞍掛け部３２１と移動鞍３３２が支持している用紙の割合や、鞍掛け部３２１と移動鞍３３２の稜線の高さなどを判断する構成であってもよい。
この場合、移動鞍３３２が支持している用紙の割合が、鞍掛け部３２１が支持している用紙の割合より所定値以上多い場合には、移動鞍３３２を「第１位置」とする。
また、鞍掛け部３２１の稜線の高さを基準とし、基準となる鞍掛け部３２１の稜線の高さよりも、移動鞍３３２の稜線の高さが高い場合には、移動鞍３３２を「第１位置」とする。
また、これらの用紙条件の少なくとも一つを判断する構成であれば良い。
【００６９】
また、上記実施形態においては、移動鞍３３２が左方向に移動して「第１位置」となる構成を例示して説明したが、移動鞍３３２が鞍掛け部３２１から押し出される用紙を一点のみで支持できる構成であれば、移動鞍３３２が左方向に移動しなくても良い。
例えば、移動鞍３３２の稜線が、搬送方向下流側の一部のみを残して下方に下がることで、用紙を一点のみで支持することとしても良い。或いは、移動鞍３３２の稜線が、搬送方向下流側が上方となり搬送方向上流側が下方となるように傾くことで、用紙を一点のみで支持することとしても良い。
【符号の説明】
【００７０】
１  画像形成システム
１００  画像形成装置
３２０  中綴じ部
３２１  鞍掛け部（第１支持部）
３２２  押し出し部
３２３  移送部
３２４  突き当て部
３２５  打針部
３２６  受針部
３３０  搬送部
Ｕ  移動ユニット
３３１  台座部
３３１ａ  駆動部
３３２  移動鞍
５０２  中央制御部
５０３  画像形成制御部
５０５  用紙処理制御部（制御部）
【図１】
2017071460.tif 000003
【図２】
2017071460.tif 000004
【図３】
2017071460.tif 000005
【図４】
2017071460.tif 000006
【図５】
2017071460.tif 000007
【図６】
2017071460.tif 000008
【図７】
2017071460.tif 000009
【図８】
2017071460.tif 000010
【図９】
2017071460.tif 000011
【図１０】
2017071460.tif 000012
【図１１】
2017071460.tif 000013
【図１２】
2017071460.tif 000014